(57)【要約】  本願発明は、車両の特には座席のための発泡部品であって、接続領域に沿って一体に一部品に接続された第１の部分領域および第２の部分領域を備える発砲部品に関する。前記第１の部分領域は第１の表面を備え、前記第２の部分領域は第２の表面を備え、前記第1及び第2の表面は互いに対向している。
2008536735.tif 000002
【特許請求の範囲】
【請求項１】
車両の特には座席のための発泡部品（１）であって、接続領域（３）に沿って一体に一部品に接続された第１の部分領域（１１）および第２の部分領域（１２）を備え、前記第１の部分領域（１１）が備える第１の表面（１１４）および前記第２の部分領域（１２）が備える第２の表面（１２４）が、互いに対向していることを特徴とする発泡部品（１）。
【請求項２】
前記第１の表面（１１４）が、前記第２の表面（１２４）に実質的に平行に配置されていることを特徴とする請求項１に記載の発泡部品（１）。
【請求項３】
前記接続領域（３）が、実質的に１つの長手方向（Ｌ）に延在していることを特徴とする請求項１または２に記載の発泡部品（１）。
【請求項４】
車両の特には座席のための特には請求項１〜３のいずれか一項に記載の発泡部品（１）であって、接続領域（３）に沿って一体に一部品に接続された第１の部分領域（１１）および第２の部分領域（１２）を備え、前記第１の部分領域（１１）を、前記接続領域（３）に沿って前記第２の部分領域（１２）に対して折り返すことができる発泡部品（１）。
【請求項５】
前記第１の部分領域（１１）と前記第２の部分領域（１２）との間に配置されたセンサ手段（２）を備えることを特徴とする請求項１〜４のいずれか一項に記載の発泡部品（１）。
【請求項６】
前記センサ手段（２）が、前記２つの表面（１１４、１２４）の少なくとも一方に実質的に当接しており、好ましくは両方の表面（１１４、１２４）に実質的に当接していることを特徴とする請求項１〜５のいずれか一項に記載の発泡部品（１）。
【請求項７】
前記第１の部分領域（１１）が、実質的に二次元的に広がっており、好ましくは４〜１２ｍｍ、特に好ましくは約５〜１０ｍｍの厚さ（５）を有していることを特徴とする請求項１〜６のいずれか一項に記載の発泡部品（１）。
【請求項８】
前記センサ手段（２）の電気配線が配置される凹部（６）を備えることを特徴とする請求項１〜７のいずれか一項に記載の発泡部品（１）。
【請求項９】
センサ手段（２）、好ましくは表面センサを備えている発泡部品（１）を製造するための方法であって、第１の部分領域（１１）が第２の部分領域（１２）から、前記部分領域（１１、１２）が接続領域（３）に沿って一体に一部品に接続された状態で分離され、次いで前記センサ手段（２）が、前記部分領域（１１、１２）の間に配置されることを特徴とする方法。
【請求項１０】
センサ手段（２）、ならびに接続領域（３）に沿って一体に一部品に接続された第１の部分領域（１１）および第２の部分領域（１２）を備えており、前記第１の部分領域（１１）が備える第１の表面（１１４）と前記第２の部分領域（１２）が備える第２の表面（１２４）とが互いに対向している発泡部品（１）を製造するための方法であって、前記発泡部品が一部品に発泡され、次いで前記センサ手段（２）が前記部分領域（１１、１２）の間に配置されることを特徴とする方法。
【請求項１１】
前記発泡部品（１）の前記２つの部分領域（１１、１２）への分割の前または後に、前記センサ手段（２）が、前記発泡部品（１）の凹部（６）に配置された電気配線に接続されることを特徴とする請求項９または１０に記載の方法。
【請求項１２】
前記発泡部品（１）がカバーで覆われることを特徴とする請求項９〜１１のいずれか一項に記載の方法。
【請求項１３】
車両、特には自動車の座席の腰掛け部分としての請求項１〜６のいずれか一項に記載の発泡部品の使用。
【請求項１４】
前記センサ手段（２）が座席占有センサであることを特徴とする請求項１３に記載に使用。
【請求項１５】
請求項１〜８のいずれか一項に記載の発泡部品を製造するための工具であって、前記第１の表面（１１４）および／または前記第２の表面（１２４）の形状の逆の形が取り入れられていることを特徴とする工具。
【発明の詳細な説明】
【技術分野】
【０００１】
本発明は、車両用の発泡部品、特にはセンサ手段を備えている特には座席のための発泡部品、センサ手段を備える発泡部品の製造方法、本発明による発泡部品の車両の特には自動車のための座席部品としての使用、ならびに本発明による発泡部品を製造するための工具に関する。
【背景技術】
【０００２】
車両用の座席、特には自動車用の座席においては、例えばエアバッグの動作を制御するために、座席占有センサが設けられることが多い。シートの占有を、実質的に全表面にわたって検出することができるよう、座席占有センサは、例えばマットの形態の表面センサとして設けられる。座席占有センサは、例えば、座席の腰掛け部分の発泡部品とカバーとの間に配置される。申し分のない機能および最良の快適さを保証し、一方で、そのような座席の見た目に悪影響をもたらすことがないよう、そのような座席のためのカバーは、少なくとも約７ｍｍの積層厚さを有していなければならない。しかしながら、座席占有センサを備えない座席について必要とされる積層厚さは、わずかに約２〜４ｍｍである。したがって、従来、構成に対し割高である別個のカバーが使用されている。あるいは、積層厚さが大きく、とりわけコストが高いカバーのみが使用される。したがって、座席占有センサは、座席のうちの１０％未満というきわめて低い割合でしか装備されていない。
【０００３】
独国特許出願公開第１９６４６４８０号が、座席の製造方法を開示しており、互いに別個に製造される２つの部品から座席クッションを製造し、その部品の間に座席占有センサを配置している。２つの座席部品を別個に製造するため、これらの座席部品および座席占有センサをその後組み立て、一体に接続する必要がある。したがって、この方法は、きわめてコストが高くなる。
【発明の開示】
【発明が解決しようとする課題】
【０００４】
本発明の目的は、センサ手段を備える発泡部品、特には座席占有センサを備える腰掛け部分、および発泡部品を製造するための方法であって、上述の欠点を有しておらず、したがって低いコストで製造することができ、低いコストのカバーを使用することができる発泡部品、腰掛け部分、および製造方法を提供することにある。
【課題を解決するための手段】
【０００５】
この目的は、車両の特には座席のための発泡部品であって、接続領域に沿って一体に一部品に接続された第１の部分領域および第２の部分領域を含んでおり、第１の部分領域が有する第１の表面および第２の部分領域が有する第２の表面が、互いに対向している発泡部品によって達成される。
【０００６】
本発明による発泡部品は、例えば発泡部品からの切り出しによって、あるいは発泡によって、きわめて容易に製造できる。工具技術という点からみると、２つの部分領域の製造を、発泡部品の形成と同時に実行でき、あるいは事後に第１および第２の表面の領域において第１の部分領域を第２の部分領域から、これら部分領域を依然として１つの接続領域において一体につながったままに残しつつ分離させることによって実行できる。発泡部品の形成と同時に２つの部分領域を製造することは、部分領域の互いの分離という後の製造段階を省略できるという利点を有している。
【０００７】
好ましくは、たとえ第１の表面が湾曲していても、第１の表面からの第２の表面の距離があらゆる場所において実質的に同じであるよう、少なくともそれぞれの局部において、第１の表面が、第２の表面に実質的に平行に配置される。結果として、２つの部分領域の互いの分離が、切断工具による切断を実行することによって可能である。部分領域の互いの分離を事後に行うことは、従来の発泡部品においても可能であるという利点を有している。
【０００８】
さらに、好ましくは、接続領域が、実質的に１つの長手方向に延在する。この実施形態においては、第２の部分領域からの第１の部分領域の分離を、例えば切断用ワイヤ、特にはホットワイヤによって、きわめて簡単、迅速、かつ低コストな方法で実行できる。
【０００９】
上述の目的を達成する発泡部品の別の好ましい実施形態においては、発泡部品が、接続領域に沿って一体に一部品に接続された第１の部分領域および第２の部分領域を含んでおり、第１の部分領域を、接続領域に沿って第２の部分領域に対して折り返すことができる。結果として、製造の際に、例えば車両の座席の部分領域の間の領域に、例えば座席占有センサを挿入するために自由に、すなわち単に第１の部分領域を第２の部分領域に対して折り返す（上方に）だけで、アクセスすることができる。
【００１０】
以下の実施形態は、上記の課題解決策の両方に当てはまる。
【００１１】
１つの長手方向に延在している接続領域において、接続領域は、好ましくはその長手軸に沿って２つの部分領域をお互いに対して折り返すときに、回転軸として機能する。
【００１２】
好ましい実施形態においては、発泡部品は、第１の部分領域と第２の部分領域との間に配置されたセンサ手段を有している。したがって、センサ手段は、部分領域によって積層され、かつ保護される。
【００１３】
部分領域の間の領域が、例えばポケットの形状を有している湾曲した接続領域においては、センサ手段がポケットに挿入される。お互いに対して折り返すことができる部分領域によって、部分領域の間の領域に自由にアクセスすることができ、センサ手段を第１または第２の表面へと配置することができる。従って、部分領域の間にセンサ手段を配置することが、この実施形態においては、特に容易である。
【００１４】
好ましくは、センサ手段が、２つの表面のうちの少なくとも一方に実質的に当接しており、特に好ましくは両方の表面に実質的に当接している。好ましくは、第１および／または第２の表面が、実質的に１つの表面を形成している。センサ手段、特には表面センサ、例えば座席占有センサが、好ましくはこの表面に二次元に配置される。発泡部品は、好ましくは弾性材料、特にはプラスチック材料から作られる。発泡部品は弾性があるため、この発泡部品は、センサ手段の外形に適合する。
【００１５】
センサ手段を備える発泡部品を車両の腰掛け部分として使用する場合、センサ手段が知覚されないように、したがって座席の使用者にとって着座の快適さが損なわれないように、部分領域を選択することができる。また、そのような座席の見た目の印象も、センサ手段によって悪影響を受けない。
【００１６】
好ましくは、第１の部分領域が、実質的に二次元に広がっており、特に好ましくは約４〜１２ｍｍ、きわめて好ましくは約５〜１０ｍｍの厚さを有している。発泡部品の厚さは、発泡部品について設定される要件に応じて調節することができる。
【００１７】
発泡部品を例えば座席の腰掛け部分として使用するとき、第１の部分領域の厚さを、カバーの望ましい厚さ、特にはカバーの望ましい積層厚さに合わせて調節することができ、第１の部分領域が、センサ手段、特には腰掛け部分に配置される座席占有センサのために必要とされる従来の座席のカバーの積層厚さを補う。結果として、第１の部分領域が、座席占有センサの動作信頼性を保証すると同時に、座席の見た目の印象だけでなく、着座の快適さが悪影響を受けないことを保証する。したがって、このような本発明による腰掛け部分のカバーにおいては、カバーが座席占有センサを直接覆って配置されている従来からの座席の場合に比べ、カバーの積層厚さが大幅に低減される。
【００１８】
好ましくは、発泡部品が、座席の快適さおよび見た目の印象が電気配線によっても悪影響を受けることがないよう、センサ手段の電気配線が配置される凹部を有している。
【００１９】
本発明による発泡部品は、容易かつ低いコストで製造が可能である。センサ手段は、部分領域の間に配置されているため、保護されている。発泡部品を車両の腰掛け部分として使用することで、第１の部分領域の厚さを、カバーの望ましい積層厚さに合わせて調節することができる。その結果、追加のコストが発生することなく、同じカバーをセンサ手段を備える変種および備えない変種に使用することができる。
【００２０】
本発明のさらなる主題は、センサ手段、好ましくは表面センサを備えている発泡部品を製造するための方法であって、第１の部分領域が第２の部分領域から、これら部分領域が接続領域に沿って一体に一部品に接続されたままであるように分離され、次いでセンサ手段が、これら部分領域の間に配置される方法である。
【００２１】
特に好ましくは、発泡部品へのセンサ手段の配置が、実質的に一つの長手方向に延在している接続領域において、接続領域が自身の長手方向の回転軸として機能するように第１の部分領域を接続領域を中心にして第２の部分領域に対して折り返すことによって実行され、したがって作業者が支承面に自由にアクセスでき、したがってセンサ手段の挿入がきわめて容易である。次いで、第１の部分領域が、接続領域を中心として反対の方向に折り戻される。その結果、好ましくは第１の部分領域が、少なくとも部分的に第２の部分領域に当接し、センサ手段が部分領域によって完全に囲まれる。
【００２２】
第１の部分領域と第２の部分領域との分離は、好ましくは、ホットワイヤによる切断によって実行される。
【００２３】
本発明のさらなる主題は、センサ手段、ならびに接続領域に沿って一体に一部品に接続されている第１の部分領域および第２の部分領域を備えている発泡部品を製造するための方法であって、第１の部分領域が有する第１の表面および第２の部分領域が有する第２の表面が互いに対向しており、当該発泡部品が一部品で発泡され、その後に部分領域の間にセンサ手段が配置される方法である。
【００２４】
したがって、発泡部品を、２つの部分領域を備える一部品に製造できる。その結果、製造はきわめて低コストとなる。
【００２５】
以下の実施形態は、センサ手段を備える発泡部品を製造するための両方法に当てはまる。
【００２６】
好ましくは、センサ手段が、発泡部品の凹部に配置された電気配線へと接続される。配線が発泡部品の凹部に配置されるため、座席の見た目の印象が、配線による悪影響を受けることがない。
【００２７】
さらに好ましくは、発泡部品がカバーによって覆われる。結果として、第１および第２の部分領域が互いに固定される。したがって、両方の製造方法において、同じ発泡部品を、センサ手段を備える変種および備えない変種の両方に使用することができる。
【００２８】
カバーに加えて、さらなるパッドを、特には発泡部品を布地で覆う前に発泡部品上へと配置して設けてもよいことを、当業者であれば理解できるであろう。さらなるパッドは、例えばフェルトまたは馬巣織りで作られたパッド、あるいは座席ヒータである。
【００２９】
部分領域がカバーによって互いに最終的に固定されるため、それらを例えば縫合、接着、または留め具によって固定する必要がない。本発明による発泡部品は、見た目の印象を向上させるために、通常はカバーによって覆われるため、この課題解決策は、きわめて迅速かつ低コストである。しかしながら、本発明によれば、随意により、例えばベルクロ（Ｖｅｌｃｒｏ）接続による第１の部分領域の第２の部分領域への固定を、特には第１の部分領域の接続領域から遠い方の側に用意することが可能である。
【００３０】
本発明のさらなる主題は、本発明による発泡部品を、車両、特には自動車の座席の腰掛け部分として使用することにある。センサ手段は、第１の部分領域によって保護される。第１の部分領域の厚さを調節することで、きわめて薄い積層厚さのカバーを使用することができる。さらには、そのような腰掛け部分において、第１の部分領域と第２の部分領域とがカバーによって互いに固定され、かつ／あるいは第１の部分領域と第２の部分領域とが、センサ手段を備える腰掛け部分においてのみ切断によって互いに分離されるため、同じ発泡部品を、センサ手段を備える変種および備えない変種の両方に使用することができる。
【００３１】
好ましくは、センサ手段が、座席占有センサである。この実施形態においては、第１の部分領域が、座席使用者または座席に置かれる物体と座席占有センサとの間に必要な距離を確保することによって、座席占有センサの機能を保証する。
【００３２】
本発明のさらなる主題は、本発明による発泡部品を製造するための工具であって、第１の表面および／または第２の表面の形状の逆の形が取り入れられている工具である。この工具によれば、本発明による発泡部品を、好ましくは発泡によって、きわめて迅速かつ低いコストで製造でき、第１および第２の部分領域の分離という製造段階を省くことが可能である。
【００３３】
以下で、本発明を、図面を参照して説明する。図面はあくまで例であり、本発明の全体的な考え方を限定するものではない。
【発明を実施するための最良の形態】
【００３４】
図１は、図ａ〜ｄにおいて、本発明による発泡部品１の製造方法を示している。発泡部品１は、自動車の座席のための座席部品である。したがって、以下では、用語「発泡部品１」および「座席部品」は、同意語として使用される。座席部品１の要件に応じて、特にカバーについて予定されている積層厚さに応じて、座席部品１は、第１の部分領域１１および第２の部分領域１２が接続領域３に沿って一体に一部品に接続されたままで製造されるよう、自身の座面７に実質的に平行に切断される（図ｂを参照）。第１の部分領域１１の厚さ５が、破線および２つの矢印によって示されている。第１の部分領域１１が、第１の表面１１４を有し、第２の部分領域１２が、第２の表面１２４を有しており、この製造段階においては、これらが互いに実質的に当接している。次いで、第１の部分領域１１が、接続領域３を中心として、接続領域３が自身の長手方向Ｌ（図２を参照）に作用するように、第２の部分領域１２に対して折り返される（図ｃを参照）。次いで、センサ手段２を、部分領域１１、１２の間に配置することができる。最後に、第１の部分領域１１が、接続領域３を中心として反対の方向に折り戻され、第１の部分領域１１が、好ましくは少なくとも部分的に第２の部分領域１２に当接し、センサ手段２が、第１の部分領域１１および第２の部分領域１２によって完全に囲まれる（図ｄを参照）。
【００３５】
本発明による工具を用いての発泡部品１の製造の際には、第１の部分領域１１および第２の部分領域１２は、図ｂの製造段階において発泡部品１が存在するよう、工具技術の点から事前に一緒に形成される。次いで、センサ手段２の挿入が、図ｃおよびｄの段階と同様のやり方で実行される。
【００３６】
図示はされていないが、部分領域１１、１２の間にポケット状の領域を備えている発泡部品１においては、センサ手段２が、部分領域１１、１２をお互いに対して折り返すことなく、部分領域１１、１２の間に押し込まれる。
【００３７】
作業者にとって取り扱いがきわめて容易であるため、折り返し可能な変種の発泡部品１が好都合である。
【００３８】
センサ手段２は、第２の表面１２４への配置後（図ｃを参照）またはこの方法の完了後（図ｄを参照）に、電気配線（図面には示されていない）へと接続される。さらに、発泡部品１がカバー（やはり図面には示されていない）によって覆われ、第１の部分領域１１が第２の部分領域１２へと固定される。
【００３９】
図２は、センサ手段２の組み付けの際の本発明による発泡部品１を、図ａおよびｂに示している。発泡部品１が、２つの第１の部分領域１１を有している。第１の部分領域１１のそれぞれが、それぞれ１つの接続領域３に沿って第２の部分領域１２へと一部品として接続されており、接続領域３は、それぞれ実質的に１つの長手方向Ｌに延在し、お互いに対して実質的に直角に配置されている。第１の部分領域１１が、接続領域３によって形成される回転軸を中心として折り返されると、第２の部分領域１２と２つの第１の部分領域１１との間の領域に、自由にアクセスすることが可能となる。この自由にアクセスできる領域に、この場合には座席占有センサであるが、センサ手段２が配置される。座席占有センサは、第２の部分領域１２の第２の表面１２４によって形成される平面に実質的に当接する表面センサである。図ｂにおいては、第１の部分領域１１が、接続領域３を中心にしてそれぞれ折り戻されている。
【００４０】
図３は、センサ手段２のための配線を配置するための凹部を備えている本発明による発泡部品１を示している。発泡部品１のうちの第１の部分領域１１（ここには示されていない）から実質的に遠い側、および／または第２の部分領域１２が示されている。発泡部品１は座席の腰掛け部分であるため、配線によって座席の見た目の印象が損なわれることがないよう、座席において、配線は座席が設置された状態で通常眺める方向においてユーザにとって見えない側に案内される。配線は、図面には示されていない。
【００４１】
図４は、センサ手段２を備える本発明による発泡部品１のさらなる実施形態を示している。センサ手段２は、この場合には、シートベルト使用検出器である。発泡部品１は、第２の表面１２４が視認可能になるよう、接続領域３に沿って第２の部分領域１２に対して折り返される第１の部分領域１１を有している。シートベルト使用検出器のためのセンサ手段２は、表面センサではないため、第２の表面１２４および／または第２の表面１２４によって形成される平面が、実質的に視認可能である。第２の表面１２４の縁領域に、センサ手段２の電気配線を配置するために使用できる凹部６が示されている。
【００４２】
本発明による発泡部品１を座席の腰掛け部分として使用する場合、接続領域３は、移動の方向および移動の方向を横切る方向の両者に延在することができ、あるいは移動の方向に対して任意の角度に延在することができる。したがって、接続領域３を、移動の方向に眺めたときに、移動の方向に対して前方、後方、左方、右方、または他の任意の角度に配置することができる。
【図面の簡単な説明】
【００４３】
【図１】本発明による発泡部品の製造方法を図ａ〜ｄに示している。
【図２】センサ手段の組み付けの際の本発明による発泡部品を図ａおよびｂに示している。
【図３】センサ手段の配線を配置するための凹部を備えている本発明による発泡部品を示している。
【図４】センサ手段を備える本発明による発泡部品のさらなる実施形態を示している。
【符号の説明】
【００４４】
１：発泡部品、座席の腰掛け部分
１１：第１の部分領域
１１４：第１の表面
１２：第２の部分領域
１２４：第２の表面
２：センサ手段
３：接続領域
５：第１の部分領域の厚さ
６：凹部
Ｌ：長手方向
【図１ａ】
2008536735.tif 000003
【図１ｂ】
2008536735.tif 000004
【図１ｃ】
2008536735.tif 000005
【図１ｄ】
2008536735.tif 000006
【図２ａ】
2008536735.tif 000007
【図２ｂ】
2008536735.tif 000008
【図３】
2008536735.tif 000009
【図４】
2008536735.tif 000010
【国際調査報告】
2008536735.tif 000011
2008536735.tif 000012
2008536735.tif 000013
2008536735.tif 000014